(57)【特許請求の範囲】
【請求項１】
電気送信入力端子からの入力信号を光信号に変換して光送信出力端子から出力する光送信部および光受信入力端子からの光信号を受信して電気受信出力端子から出力する光受信部を有する光加入者システム用光バースト送受信回路において、
前記光送信部の出力側および前記光受信部の入力側に夫々光分岐器および光結合器を含む光分配部を設け、前記光送信部の出力の一部を前記光分岐器を介して前記光結合器に入力するとともに、前記光受信部の出力側に光マスク回路を配置し、前記光受信部から電気受信出力端子に出力される電気受信信号をマスク制御することを特徴とする光バースト送受信回路。
【請求項２】
前記光分配部の前記光分岐器および前記光結合器間に光減衰器を設けることを特徴とする請求項１に記載の光バースト送受信回路。
【請求項３】
前記光マスク回路は、前記電気送信入力端子からの前記入力信号を検出する信号検出回路の出力を遅延回路で遅延させた信号により制御されることを特徴とする請求項１に記載の光バースト送受信回路。
【請求項４】
前記光送信部は、ＡＰＣ初期値設定用端子からの初期設定値および前記光受信部の出力を受けるＡＰＣ制御回路の出力により制御されることを特徴とする請求項１乃至３のいずれかに記載の光バースト送受信回路。
【発明の詳細な説明】
【０００１】
【発明の属する技術分野】
本発明は光バースト送受信回路、特に光加入者システムにおいて、親局と子局が１対ｎ構成で光スターカプラを介して接続されているＰＯＮシステムで使用する光送受信回路に関する。
【０００２】
【従来の技術】
斯かる光送受信回路の従来技術は、例えば特開平３−９６２６号（特許第２５０２７５０号）公報の「光中継器のレベル制御方式」および特開平３−２８３９２７号公報の「光中継器」等に開示されている。前者では、図５に示す如く、光送信端局４０、光中継器（以下光アンプという）５１ａ乃至５１ｎ、光りビームスプリッタ（以下光分岐器という）５２ａ乃至５２ｎ、ＡＰＣ制御回路５３ａ乃至５３ｎおよびこれらを結合する光ファイバ５０ａ乃至５０ｎとから構成されている。
【０００３】
次に、図５に示す従来技術による「光中継器のレベル制御方式」の動作を説明する。光送信端局４０は、振幅変調された光信号を送出し、光伝送路の光ファイバ５０ａ乃至５０ｎで伝送する途上にて、その都度、光アンプ５１ａ乃至５１ｎにて増幅される。そのパワーの一部を光分岐器５２ａ乃至５２ｎにて分岐する。そして、低周波信号のレベルをＯ／Ｅ（光―電気）変換器と、フィルタと、レベル比較器と、増幅電流源とからなるＡＰＣ制御回路５３ａ乃至５３ｎで検出してレベルが一定となるように光アンプ５１ａ乃至５１ｎの各出力利得を制御する。これにより、抽出された低周波信号の変調度の情報に基づいて、光中継器の増幅度を遠隔制御する。既存の光アンプにあえて、レベル一定制御の為に、Ｏ／Ｅ変換器と、フィルタと、レベル比較器と、増幅電流源とからなるＡＰＣ制御回路５３ａ乃至５３ｎを付加して制御している。
【０００４】
図６は、光加入者システムに使用される一般的なＰＯＮシステムの構成例を示す。図６を参照して、この種の光バースト送受信を説明する。このＰＯＮシステムでは、親局と子局（１）乃至（３）とは光スターカプラを介して放射状に接続されている。親局と各子局との距離は通常ばらつきがある。図６の例では、各子局と親局間の距離は、子局（１）＞子局（２）＞子局（３）の関係であり、子局（１）が親局から一番遠い距離にある。通常、子局および親局共に１対の光送受信回路を備えている。
【０００５】
光加入者システムでは、上り信号伝送は、複数の子局からの信号が互いに衝突しないように、各子局毎に帯域とタイミングを割り当てられ、伝送するＴＤＭＡ（時分割マルチプルアクセス）方式を用いている。また、下り信号伝送は、１フレーム内で上り信号と下り信号を分割し、ＴＤＭ（時分割マルチプレックス）方式により子局に分配する。また、上り信号と下り信号とが１伝送路上を行き来するため、相互に干渉しないように伝送時間が分割されたＴＣＭ方式を用いる。
【０００６】
図７は、親局と子局（１）乃至（３）からなる光加入者システムにおける各局の入出力状態を示す。図８において、（ａ）は、親局の入出力状態を示す。（ｂ）は、子局（１）の入出力状態を示す。（ｃ）は、子局（２）の入出力状態を示す。また、（ｄ）は、子局（３）の入出力状態を示す。これら（ａ）乃至（ｄ）において、左右両側に下り信号を示し、中央に上り信号を示す。
【０００７】
次に、図８は、従来技術による光バースト送受信回路のブロック図を示す。また、図９は、図８に示す従来技術による光バースト送受信回路の詳細構成図の一例である。光送受信部又は光バースト送受信回路１は、電気送信入力端子２、ＡＰＣ初期値設定用端子３、信号検出回路４、光送信部５、遅延回路Ａ６、ＡＰＣ制御回路７、光送信出力端子９、光受信入力端子１０、光受信部１１、反転回路１３、電気受信出力端子１５および後方向光変換部１６より構成される。図９に示す如く、光送信部５は、駆動回路１７および発光素子（例えばレーザダイオード、以下ＬＤという）１８を含んでいる。光受信部１１は、受光素子（例えばフォトダイオード、以下ＰＤという）２２、前置増幅回路２３、自動利得制御（ＡＧＣ）回路２４、自動閾値制御（ＡＴＣ）回路２５およびリミタ（ＬＩＭ）回路２６を含んでいる。また、後方向光変換部１６は、モニタ用受光素子（モニタＰＤ）２７および前置増幅回路２８を含んでいる。
【０００８】
一方、図１０は、図８および図９のＡＰＣ制御回路７の詳細構成を示すブロック図である。このＡＰＣ制御回路７は、後方向光変換回路１６内の前置増幅回路２８の出力を受けるピークホールド回路２９、このピークホールド回路２９の出力とＡＰＣ初期値設定用端子３からの初期設定値を入力とする差電圧検出回路３０および比較回路３３、これら差電圧検出回路３０および比較回路３３の出力を入力とする電流一定制御回路３２および保持回路３４より構成される。この保持回路３４およびピークホールド回路２９には、遅延回路Ａ６からの出力信号が入力される。
【０００９】
次に、図８乃至図１０に示す従来技術による光バースト送受信部１の動作を簡単に説明する。電気デジタルデータ入力信号が電気送信入力端子２より入力されると、光送信部５内の駆動回路１７により正電源に接続されたＬＤ１８を駆動し、光送信出力端子９に前方出力光を出力する。駆動されたＬＤ１８の後方出力光は、後方向光変換部１６内のモニタＰＤ２７により受光され、前置増幅回路２８により電流／電圧変換後に増幅され、ＡＰＣ制御回路７に入力される。この入力された信号は、ＡＰＣ制御回路７内のピークホールド回路２９にてピーク検出および保持される。この保持された電圧値とＡＰＣ初期値設定用端子３から予め設定しておいた初期設定値との差分を差電圧検出回路３０により検出し、これとは別に比較回路３３により上述した初期設定値と比較する。
【００１０】
この比較回路３３で比較した結果と差電圧検出回路３０からの差電圧の情報を電流一定制御回路３２に送り、保持回路３４を介して光送信部５の駆動回路１７に制御信号を与える。この制御により、ＬＤ１８からの光送信出力が１つのバースト状のデータ内で、常に一定に維持されるよう動作する。ここで、バースト状のデータを伝送する毎に、ＡＰＣ制御の情報をリセットする必要があり、信号検出回路４により電気信号の入力を検出して反転回路１３により反転し、後方向光変換部１６による生じる遅延時間分を遅延回路Ａ６により遅延させた信号をリセット信号として、ＡＰＣ制御回路７内のピークホールド回路２９と保持回路３４に与えている。
【００１１】
次に、光受信回路について説明する。光受信入力端子１０にデジタル光信号が受信されると、正電源極に接続されたＰＤ２２により電気信号に変換され、前置増幅回路２３にて電流／電圧変換され且つ増幅される。この増幅された電気信号は、最小受光レベルの光入力においても利得を切替え、安定に受信できるようにＡＧＣ回路２４に入力される。その後、入力レベルに応じて識別値を最適化し、識別するＡＴＣ回路２５を通り波形上部をリミット（制限）し、波形補正（又は整形）を行うＬＩＭ回路２６を通過する。そして、所定の電気レベルをもつ電気信号として、電気受信出力端子１５に出力される。
【００１２】
【発明が解決しようとする課題】
上述した従来技術は、後述する幾つかの課題を有する。先ず第１に、光送信出力一定制御において、光素子個々に調整が必要である。その理由は、通常、ＬＤ１８とモニタＰＤ２７との間の結合損失は安定していない。そこで、前方向出力光の電力が同一であっても、後方向出力光から得るモニタ電流はばらつく。電流／電圧変換を行う前置増幅回路２８のダイナミックレンジは設計時に限定されており、またダイナミックレンジが広くとれるように設計するには、回路の複雑さが生じてくる。この制約の中で、光素子の選別、回路定数調整を行わなければならない。このモニタ電流のばらつきがＡＰＣ制御の初期調整の困難およびＡＰＣ誤差を生じさせ、送出電力の安定化を妨げることとなる。光軸調整等によりＬＤ１８とモニタＰＤ２７間の結合損失の調整は不可能ではないが、改造作業となり、製造工程の増大および品質低下を招来する。
【００１３】
第２に、モニタＰＤ２７の光電流を一定にしておいたときの周囲温度変化によるＬＤ１８の光出力パワーの最大変動（以下、トラッキング・エラーと称す）が必ず存在し、周囲温度変動時のパワー安定化の妨げになっている。その理由は、使用する素子自体のモニタ電流−光出力特性の直線性からのずれとレンズ、コネクタ等の光学系結合効率の温度特性により、トラッキング・エラーが生じる。通常、少なくとも±１ｄＢ程度の温特時のレベル変動を考慮しておかなければならない。
【００１４】
【発明の目的】
本発明の目的は、光送信出力一定制御を行う上で、ＬＤとモニタＰＤの結合損失のばらつきにより生じる後方向出力光のモニタ電流のばらつきに影響せず、トラッキング・エラーを減少させ、既存の受信回路の一部分を流用し、不要な回路を削減できる光バースト送受信回路を提供することである。
【００１５】
【課題を解決するための手段】
本発明は、電気送信入力端子からの入力信号を光信号に変換して光送信出力端子から出力する光送信部および光受信入力端子からの光信号を受信して電気信号出力端子から出力する光受信部を有する光加入者システム用の光バースト送受信回路である。そして、光送信部の出力側および光受信部の入力側に夫々光分岐器および光結合器を含む光分配部を設け、光送信部の出力の一部を光分岐器を介して光結合器に入力するとともに、光受信部の出力側に光マスク回路を配置し、光受信部から電気受信出力端子に出力される電気受信信号をマスク制御する光バースト送受信回路である。
【００１６】
本発明の好適実施形態例によると、光分配部の光分岐器および光結合器間に光減衰器を設ける。また、光マスク回路は、前記電気送信入力端子からの前記入力信号を検出する信号検出回路の出力を遅延回路で遅延させた信号により制御される。更に、光送信部は、ＡＰＣ初期値設定用端子からの初期設定値および光受信部の出力を受けるＡＰＣ制御回路の出力により制御される。
【００１７】
即ち、本発明による光バースト送受信回路では、光加入者システムの各局にて用いる送信と受信が時分割で動作し、光分岐器と光分配器からなる光分配部を付加し、送出光の一部を分岐し、自らの受信入力に戻す機能を持たせることで、自らの受信部の一機能を共用し、ＬＤとモニタＰＤの結合損失ばらつきにより生じる後方向出力光のモニタ電流のばらつきに影響されず、トラッキングエラーを減少でき、光送信出力一定制御が実現できる。また、既存の受信回路の一部分を流用することで不要な回路の削減ができる。
【００１８】
【発明の実施の形態】
次に、本発明による光バースト送受信回路の好適実施形態例の構成および動作を、添付図を参照して詳細に説明する。
【００１９】
先ず、図１は、本発明による光バースト送受信回路の第１実施形態例の外力構成を示すブロック図である。一方、図２は、図１の光バースト送受信回路の詳細構成を示す。尚、上述した従来技術と対応する構成要素には、便宜上、同様の参照符号を使用する。この光バースト送受信回路又は光送受信部１は、電気送信入力端子２、ＡＰＣ初期値設定用端子３、信号検出回路４、光送信部５、遅延回路Ａ６、ＡＰＣ制御回路７、光分配部８、光送信出力端子９、光受信入力端子１０、光受信部１１、マスク回路１２、反転回路１３、遅延回路Ｂ１４、電気受信出力端子１５および光ファイバ３６、３７より構成される。光ファイバ３６は、光送信部５および光分配部８間を結合する。一方、光ファイバ３７は、光分配部８および光受信部１１間を結合する。ここで、図２に示す如く、光送信部５は、駆動回路１７および発光素子（ＬＤ）１８を含んでいる。光分配器８は、光分岐器１９および光結合器２０を含んでいる。光受信部１１は、正電源２１に接続された受光素子（ＰＤ）２２、前置増幅器２３、ＡＧＣ回路２４、ＡＴＣ回路２５およびＬＩＭ回路２６を含んでいる。ＡＰＣ制御回路７は、上述した図１０の回路と同様であることを可とする。
【００２０】
光送信部５は、電気送信入力端子２から入力されたデジタル電気信号により駆動回路１４を介してＬＤ１８を駆動させ、発出する送信光信号を光分配器８内の光分岐器１９に出力する。この光分岐器１９は、光送信出力端子９に出力すると共に光結合器２０の一方の入力端子にも入力する。光結合器２０は、光受信入力端子１０からの光受信信号と上述した光分岐器１９からの光信号とを結合する。光受信部１１のＰＤ２２は、光結合器２０からの光信号を受けて、所定の電気信号に変換する。このＰＤ２２の出力は、前値増幅回路２３、ＡＧＣ回路２４、ＡＴＣ回路２５およびＬＩＭ回路２６を介してマスク回路１２に入力される。また、前置増幅器２３の出力は、ＡＰＣ制御回路７のピークホールド回路２９にも入力される。一方、信号検出回路４は、電気送信入力端子２から入力されるデジタル電気信号の有無を検出する。この信号検出回路４の出力は、反転回路１３および遅延回路Ａ６を介してＡＴＣ制御回路７のピークホールド回路２９および保持回路３４にリセット信号を供給する（図１０参照）。また、信号検出回路４の出力は、遅延回路Ｂ１４を介してマスク回路１２に入力される。このマスク回路１２は、光受信部１１のＬＩＭ回路２６から出力される電気受信信号をマスク制御する。遅延回路Ｂ１４は、マスク回路１２がマスクするタイミングを設定する。ＡＰＣ制御回路７は、図１０に示す如く、ピークホールド回路２９、差電圧検出回路３０、比較回路３３、電流一定制御回路３２および保持回路３４により構成される。
【００２１】
次に、図１および図２に示す光バースト送受信回路の動作を、図３のタイミングチャートを参照して説明する。尚、図１および図２の光バースト送受信回路も例えば図６に示すＰＯＮシステム構成で使用され図７の如く動作する。即ち、下り信号（Ｄ１乃至Ｄ３）が、親局から各子局に向けて送られる。各子局と親局間の距離に差がある故、子局（１）乃至（３）側ではパワーが異なった形で受信される。次に、上り下り間のデータ衝突および反射等の影響を受けないように、あるタイミングをあけ、上り信号が各子局より時分割に送出される（Ｄ１１乃至Ｄ３１）。ここで、各子局と親局間の距離に差があるために、親局ではパワーが異なった形でバースト状のデータを受信することになる。通常、上述の如く、上り下りのピンポン伝送が行われ、各局にてＡＰＣ制御回路７等の温度変動に対して変動量をキャンセルする機能を備えている。
【００２２】
下り信号の伝送状態として親局から子局（２）へ信号伝送されるときの動作を説明する。図３（ａ）乃至（ｎ）は、本発明による光バースト送受信回路の動作を説明するためのタイミングチャートである。先ず、親局にて、図３（ａ）に示す如く電気送信入力端子２にデジタル電気信号であるデータ信号（Ｄ１乃至Ｄ３）が入力される。光送信部５内の駆動回路１７によりＬＤ１８を駆動する。そこで、光送信部５の出力は、図３（ｂ）に示す如く出力電力Ｐｏ１１にて出力される。尚、駆動電流は、ＬＤ１８の出力電力がＰｏ１０となるように初期的に設定されているものとする。また、光送信部５の出力電力は、Ｐｏ１０を初期設定値とし、周囲温度変化によりＰｏ１１に減少してしまった状態にあるものとする。
【００２３】
光送信部５の出力電力Ｐｏ１１を持つ光信号は、光ファイバを介して光分配部８内の光分岐器１９に送られる。ここで、光分岐器１９の分岐比は、例えば１：１０であり、光分岐器１９の入力に対して光送信出力端子９には９／１０、光結合器２０には１／１０の関係で光信号が分岐されて伝送されるものとする。従って、光送信出力端子９には過剰損失（０．３ｄＢ）と分岐損失（３ｄＢ）により減少した電力レベルＰｏ２１の光信号が出力される（図３（ｃ）参照）。次に、光結合器２０の分岐比は１：１０であり、光結合器２０の入力に対して光受信入力端子１０から光結合器２０の出力に対しては９／１０、光分岐器１９の出力から光結合器２０の出力に対しては１／１０の関係で光信号が結合され、伝送されるものとする。従って、光結合器２０は、過剰損失（３ｄＢ）と分岐損失（３ｄＢ）により減少した電力レベルＰ３１にて光信号を出力し光受信部１１内のＰＤ２２に信号を伝送する（図３（ｅ）参照）。
【００２４】
ここで、光送信部５から送出された光電力レベルを＋０ｄＢｍとすると、光分岐器１９により、光送信出力端子９の出力は、
＋０ｄＢｍ−（０．４６ｄＢ＋３ｄＢ＋０．３ｄＢ）＝  −３．７６ｄＢｍ
となる。また、光結合器２０には、
＋０ｄＢｍ−（１０ｄＢ＋３ｄＢ＋０．３ｄＢ）＝  −１３．３ｄＢｍ
の信号が伝送される。光分岐器１９により、光受信部１１内のＰＤ２２の受信電力レベルは、
−１３．３ｄＢｍ−（１０ｄＢ＋３ｄＢ＋０．３ｄＢ）＝  −２６．６ｄＢｍ
となる。
【００２５】
光受信部１１内の前置増幅器２３のダイナミックレンジとの関係から、初期設定時に光分岐器１９と光結合器２０の分岐比に関して、前置増幅器２３が飽和せず、余裕をもってリニア（線形）に制御できる受信電力レベルに設定しておくことが必要である。受信した光信号は、光受信部１１内の前置増幅器２３にて、電流／電圧変換され、振幅Ｖｐ１に増幅される。この信号を受け、ＡＰＣ制御回路７内のピークホールド回路２９はピークを検出して保持する。次に、保持された結果が、差電圧検出回路３０と比較回路３３の負入力に伝えられる。そして、予めＡＰＣ初期値設定用端子３に設定している電圧電位Ｖｔと比較し、差分が検出される。ここで、Ｖｔ＝Ｖｐ１＋Ｖｓ１の関係にあり、電位Ｖｓ１分の駆動電流を増加させるように、電流一定制御回路３２と保持回路３４にて駆動電流１４の制御入力に制御信号が送られる。この制御により、光送信部５の出力電力レベルは、Ｐｏ１１からＰｏ１０に移行する。光送信出力端子９の電力レベルも、Ｐｏ２１からＰｏ２０に移行する。更に、光結合器２０の出力電力レベルも、Ｐ３１からＰ３０に移行する。この状態で、周囲温度変動による送信電力の変動に対して補正がなされ、初期設定状態に戻る。
【００２６】
この補正動作は、下り信号Ｄ１乃至Ｄ３を伝送している間、ピークホールド回路２９および保持回路３４により保持される。更に、Ｄ３伝送後、補正情報はリセットされる。次に、下り信号としてＤ４、Ｄ５が入力されたとき、新たに補正情報が検出され制御が行われる。ここで、リセット信号は、信号検出回路４の出力を反転回路１３にて反転し、遅延回路Ａ１３にて遅延したタイミングにて与えられる。遅延量は、信号がＬＤ１８から光分配部８を通り、ＰＤ２２にて電気信号に変換される。更に、前値増幅回路２３、ピークホールド回路２９、比較回路３３および電流一定制御回路３２を通過することにより発生する時間ｔａを予め設定しておくこととする。
【００２７】
送信伝送時に、前値増幅回路２３から出力される光分配部８からの信号は、ＡＧＣ回路２４にて利得が制御される。ＡＴＣ回路２５にて最適な閾値により識別され、ＬＩＭ回路２６にて波形補正されて所定のレベル（Ｖｏ）にて出力される。この信号は、マスク回路１２によりマスクされる。このマスク回路１２の制御は、信号検出回路４の信号に基づき遅延回路Ｂ１４にて遅延したタイミングにより行われる。ここで、この遅延量は、駆動回路１７の入力から光分配部８を通り、光受信部１１に出力が得られるまでの時間ｔｂを予め設定しておく。
【００２８】
次に、上り信号として親局にＤ１１とＤ１３のデータが子局より送られてきた場合について、動作を説明する。親局にて受信されたＤ１１およびＤ１３の信号は、光受信入力端子１０に入力され、光結合器２０に入力される。光結合器２０の出力には、９／１０の電力値から更に過剰損失分と結合損失分減少した電力レベルが得られ、光受信部１１のＰＤ２２に送られる。入力された受光信号は、前値増幅回路２３、ＡＧＣ回路２４、ＡＴＣ回路２５およびＬＩＭ回路２６を経て、所定のレベル（Ｖｏ）を持つ電気信号として出力される。ここで、信号検出回路４の情報により、ＡＰＣ制御回路７はリセット状態にある。マスク回路１２は、非マスク状態にあるため、電気受信出力端子１５には、そのままＬＩＭ回路２６の出力信号が伝送される。
【００２９】
次に、新たな下り信号Ｄ４とＤ５が入力された場合について、動作を説明する。今度は、ＡＰＣ初期値設定用端子３にて設定している電圧電位Ｖｔに対して、周囲の温度変動により光送出電力レベルが高くなってしまった状態にあるものとする。従って、検出したピークホールド回路２９の電位Ｖｐ２は、Ｖｐ２＝Ｖｔ＋Ｖｓ２の状態にある。今度は、電位Ｖｓ２分の駆動電流を減少させるように、電流一定制御回路３２および保持回路３４にて駆動回路１７の制御入力に制御信号が送られる。この制御により、光送信部５の出力電力レベルは、Ｐｏ１２からＰｏ１０に移行する。光送信出力端子９の電力レベルも、Ｐｏ２２からＰｏ２０に移行しする。更に、光結合器２０の出力電力レベルも、Ｐ３２からＰ３０に移行する。この状態で、周囲温度変動による送信電力の変動に対して補正がなされ、初期設定状態に戻る。子局を基準にした子局から親局への送信、子局への親局からの受信を行った場合の伝送するデータのタイミングが異なるが、光バースト送受信回路の動作としては同じである。
【００３０】
【発明の他の実施の形態】
次に、図４のブロック図を参照して、本発明による光バースト送受信回路の第２実施形態例を説明する。尚、図４においても、図１および図２の構成要素に対応する構成要素には同様の参照符号を使用する。この光バースト送受信回路は、信号検出回路４、光送信部５、遅延回路Ａ６、ＡＰＣ制御回路７、光分配器８、光受信部１１、マスク回路１２、反転回路１３および遅延回路Ｂ１４を備える。光送信部５、ＡＰＣ制御部７および光受信部１１は、図１の第１実施形態例と同じである。しかし、光分配部８は、光分岐器１９および光結合器２０に加えて、光減衰器３５が光分岐器１９と光結合器２０間に設けられている。
【００３１】
第１実施形態例に関連して上述の如く、光分岐器１９と光結合器２０の分岐比は、光受信部１１内の前置増幅器２３が飽和せず、余裕をもってリニアに制御できる受光レベルが入力されるように設定しておく必要ある。しかし、光分岐器１９と光結合器２０の分岐比は、種類が限られており、必ずしも光受信部１１内のＰＤ２２の変換効率と前置増幅回路２３のダイナミックレンジを考慮して設定することはできない。従って、受信入力レベルが不適合の場合には、初期設定時に挿入した光減衰器３５により、減衰量を調整して設定することで回避する。
【００３２】
以上、本発明による光バースト送受信回路の好適実施形態例を詳述した。しかし、斯かる実施形態例は、本発明の単なる例示に過ぎず、何ら本発明を限定するものではないことに留意するべきである。
【００３３】
【発明の効果】
上述の説明から明らかな如く、本発明による光バースト送受信回路は、次の如き実用上の顕著な効果を有する。第１に、光送信電力一定制御を行う上で、使用するモニタＰＤのＬＤとの結合損失のばらつきにより生じる後方向出力光のばらつき、即ちモニタ電流のばらつきを考慮したＬＤ選定が不要となる。その理由は、送信部動作時のみ、送信部の出力電力一定制御を自らの受信部の１機能を共用し、モニタＰＤは使用せず、受信部に予め備えているＰＤをモニタＰＤとして用いて、制御を行うからである。
【００３４】
第２に、光送信電力一定制御を行う上で、使用するモニタＰＤのＬＤとの結合により生じるトラッキング・エラーについて考慮せず、送信電力のロス配分が設定できる。これにより安定した制御が実現できる。その理由は、送信部動作時のみ、送信部の出力一定制御を自らの受信部の１機能を共用し、モニタＰＤは使用せず、受信部に予め備えているＰＤをモニタＰＤとして用いて制御を行うからである。
【図面の簡単な説明】
【図１】本発明による光バースト送受信回路の第１実施形態例の概略構成を示すブロック図である。
【図２】図１の光バースト送受信回路の詳細構成図である。
【図３】図１および図２の光バースト送受信回路の動作を説明するためのタイミングチャートである。
【図４】本発明による光バースト送受信回路の第２実施形態例の詳細構成図である。
【図５】従来の光中継器のレベル制御方式の説明図である。
【図６】本発明を使用する一般的なＰＯＮシステムの構成例である。
【図７】図６のＰＯＮシステムの信号伝送状態の説明図である。
【図８】従来の光バースト送受信回路のＡＰＣ制御回路の概略構成図である。
【図９】図８の詳細構成図である。
【図１０】ＡＰＣ制御回路の具体的構成図である。
【符号の説明】
１          光送受信部
２          電気送信入力端子
３          ＡＰＣ初期値設定用端子
４          信号検出回路
５          光送信部
６、１４    遅延回路
７          ＡＰＣ制御回路
８          光分配部
９          光送信出力端子
１０        光受信入力端子
１１        光受信部
１２        マスク回路
１５        電気受信出力端子
１７        駆動回路
１８        発光素子（ＬＤ）
１９        光分岐器
２０        光結合器
２２        受光素子（ＰＤ）
３５        光減衰器
３６、３７  光ファイバ
【図１】
0003655789.tif 000002
【図２】
0003655789.tif 000003
【図３】
0003655789.tif 000004
【図４】
0003655789.tif 000005
【図５】
0003655789.tif 000006
【図６】
0003655789.tif 000007
【図７】
0003655789.tif 000008
【図８】
0003655789.tif 000009
【図９】
0003655789.tif 000010
【図１０】
0003655789.tif 000011